(57)【要約】      （修正有）【課題】既存の画像処理装置において他装置等へのデータの出力が制限されている場合でも、既存の装置における複数の処理パラメーターの設定データを引き継ぎ先の装置へ簡易に引き継ぐことができる画像処理装置を提供する。【解決手段】印刷制御装置５１ｄは、記憶装置５３に記憶されている設定データの一部または全部を表す設定状況画像を１枚以上のシート９２に形成する処理を画像形成装置２に実行させる。選択装置５１ｅは、操作装置３ａに対する操作に従って対象パラメーターを選択する。画像データ処理装置５４は、読取画像データＤｉ０から設定状況画像を抽出し、抽出した設定状況画像に対応する設定データを特定する。データ更新装置５１ｂは、設定データのうち、対象パラメーターに対応するデータを、読取画像データＤｉ０から特定されたデータへ更新する。【選択図】図１
2019102874.tif 000002
【特許請求の範囲】
【請求項１】
原稿から画像を読み取り、読取画像データを出力する画像読取装置と、
シートに画像を形成する画像形成装置と、
前記画像読取装置または前記画像形成装置の処理に関するパラメーターを含む複数の処理パラメーターの設定データを記憶する不揮発性の記憶装置と、
前記憶装置に記憶されている前記設定データの一部または全部を表す設定状況画像を１枚以上の前記シートに形成する設定印刷処理を前記画像形成装置に実行させる印刷制御装置と、
ユーザーの操作を受け付ける操作装置と、
前記操作装置に対する操作に従って、前記複数の処理パラメーターの一部または全部を対象パラメーターとして選択する選択装置と、
１枚以上の前記原稿に対応する前記読取画像データから前記設定状況画像を抽出し、抽出した前記設定状況画像に対応する前記設定データを特定する画像データ処理装置と、
前記記憶装置に記憶されている前記設定データのうち、前記対象パラメーターに対応するデータを、前記読取画像データから特定された前記設定データにおける前記対象パラメーターに対応するデータへ更新するデータ更新装置と、を備える画像処理装置。
【請求項２】
前記複数の処理パラメーターは、通信に関する１つ以上の通信パラメーターとその他の１つ以上のローカルパラメーターとを含み、
前記選択装置は、前記通信パラメーターと前記ローカルパラメーターとを一括して前記対象パラメーターとして選択することと、前記ローカルパラメーターのみを一括して前記対象パラメーターとして選択することと、が可能である、請求項１に記載の画像処理装置。
【請求項３】
情報を入力する情報入力装置と、
前記情報入力装置を通じて得られる入力ユーザー情報と前記記憶装置に記憶されている１つ以上の登録ユーザー情報各々との照合によってユーザーを認証する認証装置をさらに備え、
前記処理パラメーターが、前記複数の登録ユーザー情報に関連しない共通の前記設定データが前記記憶装置に記憶される１つ以上の共通パラメーターと、前記登録ユーザー情報ごとに個別の前記設定データが前記記憶装置に記憶される１つ以上の個別パラメーターと、を含み、
前記選択装置は、前記登録ユーザー情報ごとに前記個別パラメーターを一括して前記対象パラメーターとして選択することと、前記共通パラメーターを一括して前記対象パラメーターとして選択することと、が可能である、請求項１または請求項２に記載の画像処理装置。
【請求項４】
前記設定状況画像は、前記憶装置に記憶されている前記設定データの一部または全部と、前記設定データの一部または全部が更新された日時または前記設定印刷処理が行われる日時に対応する日時情報と、を表す画像であり、
前記画像データ処理装置は、前記読取画像データから前記設定データおよび前記日時情報を特定し、
前記選択装置は、前記操作装置に対する操作に従って、前記日時情報に関する選択基準を指定可能であり、
複数枚の前記原稿に対応する前記読取画像データから同じ前記対象パラメーターについて複数の前記設定データが特定された場合に、前記データ更新装置は、前記選択基準に従って、複数の前記設定データからデータ更新に用いられる１つのデータを選択する、請求項１から請求項３のいずれか１項に記載の画像処理装置。
【請求項５】
前記選択装置は、前記操作装置に対する操作に従って、前記複数の処理パラメーターの一部または全部を出力パラメーターとして選択可能であり、
前記出力パラメーターが選択された場合に、前記印刷制御装置は、前記出力パラメーターに対応する前記設定データのみについて、前記設定印刷処理を前記画像形成装置に実行させる、請求項１から請求項４のいずれか１項に記載の画像処理装置。
【発明の詳細な説明】
【技術分野】
【０００１】
本発明は、原稿から読み取った画像に基づいて処理パラメーターのデータを設定可能な画像処理装置に関する。
【背景技術】
【０００２】
一般に、複写機または複合機などの画像処理装置は、画像読取装置および画像形成装置を備える。また、前記画像処理装置が、印刷条件を表すバーコードを用紙に印刷することが知られている（例えば、特許文献１参照）。
【先行技術文献】
【特許文献】
【０００３】
【特許文献１】特開２００６−５５８４号公報
【発明の概要】
【発明が解決しようとする課題】
【０００４】
ところで、前記画像処理装置は、前記画像読取装置または前記画像形成装置などに関する複数の処理パラメーターの設定データを記憶する不揮発性の記憶装置を備える。
【０００５】
前記画像処理装置の前記設定データを、初期化後の同じ装置、または、置き換えられた新たな装置へ引き継ぎたい場合がある。また、前記画像処理装置の前記設定データの一部を、増設される新たな装置へ引き継ぎたい場合もある。これらの場合、前記設定データの引き継ぎを簡易に行えることが望まれる。
【０００６】
一方、前記画像処理装置において、情報漏洩対策のために、他装置および可搬タイプの記憶メディアへのデータの出力が禁止されている場合がある。この場合、前記設定データの引き継ぎの手段として、前記他装置へのデータ転送または前記記憶メディアへのデータ記録を用いることができない。
【０００７】
また、前記設定データの引き継ぎ先の装置が引き継ぎ元の装置から引き継ぐべき前記処理パラメーターの種類は、前記引き継ぎ先の装置の利用環境に応じて異なる。
【０００８】
一方、前記引き継ぎ元の装置が引き継ぎ用の前記設定データを出力する際に、前記引き継ぎ先の装置において必要とされる前記処理パラメーターの種類が不明であることが多い。
【０００９】
本発明の目的は、既存の装置において他装置等へのデータの出力が制限されている場合でも、前記既存の装置における複数の処理パラメーターの設定データを引き継ぎ先の装置へ簡易に引き継ぐことができる画像処理装置を提供することにある。
【課題を解決するための手段】
【００１０】
本発明の一の局面に係る画像処理装置は、画像読取装置と、画像形成装置と、記憶装置と、印刷制御装置と、操作装置と、選択装置と、画像データ処理装置と、データ更新装置と、を備える。前記画像読取装置は、原稿から画像を読み取り、読取画像データを出力する。前記画像形成装置は、シートに画像を形成する。前記記憶装置は、前記画像読取装置または前記画像形成装置の処理に関するパラメーターを含む複数の処理パラメーターの設定データを記憶する不揮発性のデータ記憶装置である。前記印刷制御装置は、前記憶装置に記憶されている前記設定データの一部または全部を表す設定状況画像を１枚以上の前記シートに形成する設定印刷処理を前記画像形成装置に実行させる。前記操作装置は、ユーザーの操作を受け付ける。前記選択装置は、前記操作装置に対する操作に従って、前記複数の処理パラメーターの一部または全部を対象パラメーターとして選択する。前記画像データ処理装置は、１枚以上の前記原稿に対応する前記読取画像データから前記設定状況画像を抽出し、抽出した前記設定状況画像に対応する前記設定データを特定する。前記データ更新装置は、前記記憶装置に記憶されている前記設定データのうち、前記対象パラメーターに対応するデータを、前記読取画像データから特定された前記設定データにおける前記対象パラメーターに対応するデータへ更新する。
【発明の効果】
【００１１】
本発明によれば、既存の装置において他装置等へのデータの出力が制限されている場合でも、前記既存の装置における複数の処理パラメーターの設定データを引き継ぎ先の装置へ簡易に引き継ぐことができる画像処理装置を提供することが可能になる。
【図面の簡単な説明】
【００１２】
【図１】図１は、実施形態に係る画像処理装置のブロック図である。
【図２】図２は、実施形態に係る画像処理装置における処理パラメーターおよび設定データの構成を示す図である。
【図３】図３は、実施形態に係る画像処理装置により出力される設定状況印刷物の一例を示す図である。
【図４】図４は、実施形態に係る画像処理装置におけるデータ設定処理の手順の一例を示すフローチャートである。
【図５】図５は、実施形態に係る画像処理装置における対象パラメーター選択画面の一例を示す図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
実施形態に係る画像処理装置１０は、原稿９１から画像を読み取る読取処理およびシート９２に画像を形成する印刷処理を実行可能な複写機、ファクシミリ装置または複合機などである。
【００１５】
［画像処理装置１０の構成］
図１に示されるように、画像処理装置１０は、画像読取装置１、画像形成装置２，ユーザーインターフェイスデバイス３、カードリーダー４、制御ユニット５および通信装置６などを備える。
【００１６】
ユーザーインターフェイスデバイス３は、操作装置３ａおよび表示装置３ｂを含む。制御ユニット５は、ＣＰＵ（Central Processing Unit）５１、ＲＡＭ（Random Access Memory）５２、二次記憶装置５３および画像データ処理装置５４を含む。
【００１７】
操作装置３ａは、ユーザーの操作を受け付ける装置であり、例えばタッチパネルを含む。表示装置３ｂは、情報を表示可能な装置であり、液晶パネルなどの表示パネルを含む。
【００１８】
通信装置６は、ネットワーク８０を通じてパーソナルコンピューターなどの他装置との間で通信を行う通信インターフェイスデバイスである。ＣＰＵ５１は、前記他装置との間のデータの送信および受信の全てを、通信装置６を通じて行う。
【００１９】
画像読取装置１は、原稿９１の画像を読み取り、読取画像データＤｉ０を出力する読取処理を実行する。画像読取装置１は、光源１ａ、走査機構１ｂ、イメージセンサー１ｃおよびＡＦＥ（Analog Front End）１ｄなどを備える。
【００２０】
光源１ａは、原稿９１に対して光を出射する。走査機構１ｂは、光源１ａの光を原稿９１に対して走査させる。イメージセンサー１ｃは、原稿９１からの反射光を受光し、受光量の検出信号を画像信号として出力する。ＡＦＥ（１ｄ）は、前記画像信号をデジタルの画像データへ変換する。
【００２１】
画像読取装置１によって得られる画像データである読取画像データＤｉ０は、原稿９１から読み取られた画像を表すデータである。読取画像データＤｉ０は、画像データ処理装置５４へ伝送される。
【００２２】
画像形成装置２は、電子写真方式またはインクジェット方式などの予め定められた方式で前記印刷処理を実行する。本実施形態において、画像読取装置１および画像形成装置２は、前記読取処理および前記読取処理により得られる画像データに基づく前記印刷処理を含むコピー処理を実行可能である。
【００２３】
例えば、画像形成装置２が電子写真方式で前記印刷処理を実行する装置であることが考えられる。この場合、画像形成装置２は、複数のシート収容部２ａ、搬送機構２ｂ、感光体２ｃ、帯電装置２ｄ、レーザースキャニングユニット２ｅ、現像装置２ｆ、転写装置２ｇおよび定着装置２ｈなどを備える。
【００２４】
シート収容部２ａ各々は、複数のシート９２を収容する容器またはトレイである。搬送機構２ｂは、複数のシート収容部２ａの中から選択された１つからシート９２を送り出す。さらに、搬送機構２ｂは、シート収容部２ａから送り出されたシート９２を画像処理装置１０の本体内のシート搬送路に沿って搬送する。
【００２５】
帯電装置２ｄは、感光体２ｃの表面を帯電させる。レーザースキャニングユニット２ｅは、帯電した感光体２ｃの表面に静電潜像を書き込む。
【００２６】
現像装置２ｆは、感光体２ｃ上の前記静電潜像をトナー像へ現像する。転写装置２ｇは、感光体２ｃ上の前記トナー像をシート９２に転写する。定着装置２ｈは、シート９２上の前記トナー像を加熱することにより、前記トナー像をシート９２に定着させる。
【００２７】
転写装置２ｇおよび定着装置２ｈの処理により、搬送機構２ｂによって搬送される１枚または複数枚のシート９２に画像が形成される。
【００２８】
カードリーダー４は、保有者情報が記録されているＩＣカードから前記保有者情報を読み取る装置である。前記保有者情報は、ＣＰＵ５１へ伝送される。前記保有者情報は、ユーザー認証処理に用いられる。
【００２９】
カードリーダー４は、情報を入力する情報入力装置の一例である。また、カードリーダー４によって前記ＩＣカードから読み取られた前記保有者情報は、入力ユーザー情報の一例である。なお、カードリーダー４が省略され、操作装置３ａが、前記入力ユーザー情報を入力する前記情報入力装置を兼ねることも考えられる。
【００３０】
ＣＰＵ５１は、予め二次記憶装置５３に記憶されている各種のプログラムを実行するプロセッサーである。ＣＰＵ５１は、各種の演算、データ処理および画像処理装置１０が備える各種の電気機器の制御を実行する。
【００３１】
ＣＰＵ５１は、画像読取装置１、画像形成装置２、ユーザーインターフェイスデバイス３、カードリーダー４および通信装置６との間でデータまたは制御信号の受け渡しが可能である。
【００３２】
ＲＡＭ５２は、ＣＰＵ５１が実行する前記プログラムおよびＣＰＵ５１が前記プログラムを実行する過程で出力および参照するデータを一次記憶する主記憶装置である。
【００３３】
二次記憶装置５３は、コンピューター読み取り可能な不揮発性のデータ記憶装置である。二次記憶装置５３は、前記各種のプログラムおよび各種のデータを記憶可能である。例えば、ＳＳＤ（Solid State Drive）およびハードディスクドライブの一方または両方の組合せが、二次記憶装置５３として採用されることが考えられる。
【００３４】
画像データ処理装置５４は、画像読取装置１または通信装置６によって得られる画像データに対して加工処理およびデータ変換処理などの各種の画像処理を実行するプロセッサーまたは回路である。
【００３５】
例えば、画像データ処理装置５４が、ＭＰＵ（Micro Processing Unit）またはＤＳＰ（Digital Signal Processor）などのプロセッサーによって実現されることが考えられる。また、画像データ処理装置５４が、ＡＳＩＣ（Application Specific Integrated Circuit）などの回路によって実現されることも考えられる。
【００３６】
ＣＰＵ５１は、前記各種のプログラムを実行することにより、認証装置５１ａ、データ管理装置５１ｂおよびジョブ制御装置５１ｃとして動作する。
【００３７】
認証装置５１ａは、前記ユーザー認証処理を実行する。１つ以上の登録ユーザー情報Ｄｒ０が、予め二次記憶装置５３に予め記憶されている。前記ユーザー認証処理は、カードリーダー４を通じて得られる前記保有者情報と二次記憶装置５３に記憶されている登録ユーザー情報Ｄｒ０各々との照合によってユーザーを認証する処理である。
【００３８】
認証装置５１ａは、前記保有者情報が表す識別情報が、登録ユーザー情報Ｄｒ０のいずれか１つが表す識別情報と一致する場合にのみ、前記ユーザー認証処理が成功したと判定する。認証装置５１ａは、前記ユーザー認証処理が成功した場合にのみ、ジョブ制御装置５１ｃが操作装置３ａへの要求操作に応じて処理を実行することを許容する。
【００３９】
ジョブ制御装置５１ｃは、画像読取装置１、画像形成装置２、画像データ処理装置５４および通信装置６を制御する。
【００４０】
例えば、ジョブ制御装置５１ｃは、前記読取処理を画像読取装置１に実行させ、読取画像データＤｉ０を予め指定された形式の転送用データへ変換する処理を画像データ処理装置５４に実行させ、前記転送用データを予め指定された宛先へ送信する処理を通信装置６に実行させる。これにより、画像読取装置１、画像データ処理装置５４および通信装置６は、データ転送ジョブを実行する。
【００４１】
さらに、ジョブ制御装置５１ｃは、前記読取処理を画像読取装置１に実行させ、読取画像データＤｉ０をビットマップデータへ変換する処理を画像データ処理装置５４に実行させ、前記ビットマップデータを用いた前記印刷処理を画像形成装置２に実行させる。これにより、画像読取装置１、画像データ処理装置５４および画像形成装置２は、コピージョブを実行する。
【００４２】
さらに、ジョブ制御装置５１ｃは、前記他装置から通信装置６を通じて得た印刷ジョブデータをビットマップデータへ変換する処理を画像データ処理装置５４に実行させ、前記ビットマップデータを用いた前記印刷処理を画像形成装置２に実行させる。これにより、画像データ処理装置５４および画像形成装置２は印刷ジョブを実行する。
【００４３】
データ管理装置５１ｂは、登録ユーザー管理処理およびパラメーター管理処理などを実行する。前記登録ユーザー管理処理は、操作装置３ａに対する操作に従って、登録ユーザー情報Ｄｒ０の追加、編集または削除を行うことを含む。
【００４４】
前記パラメーター管理処理は、操作装置３ａに対する操作に従って、複数の処理パラメーターＰ１，Ｐ２，Ｐ３の設定データＤ１，Ｄ２，Ｄ３を更新する処理を含む（図２参照）。設定データＤ１，Ｄ２，Ｄ３は二次記憶装置５３に記憶される。さらに、前記パラメーター管理処理は、処理パラメーターＰ１，Ｐ２ごとの設定データＤ１，Ｄ２，Ｄ３の最新の更新日時を表す日時データＤ１０，Ｄ２０，Ｄ３０を更新する処理も含む。
【００４５】
日時データＤ１０，Ｄ２０，Ｄ３０は、設定データＤ１，Ｄ２，Ｄ３に対応づけられて二次記憶装置５３に記憶される。日時データＤ１０，Ｄ２０，Ｄ３０は、日時情報の一例である。
【００４６】
複数の処理パラメーターＰ１，Ｐ２，Ｐ３は、画像読取装置１による前記読取処理または画像形成装置２による前記印刷処理に関するパラメーターを含む。
【００４７】
図２に示されるように、複数の処理パラメーターＰ１，Ｐ２，Ｐ３は、通信に関する１つ以上の通信パラメーターＰ２と、その他の複数のローカルパラメーターＰ１，Ｐ３とを含む。
【００４８】
さらに、複数のローカルパラメーターＰ１，Ｐ３は、１つ以上の共通ローカルパラメーターＰ１と、１つ以上の個別パラメーターＰ３とを含む。画像処理装置１０の初期状態において、共通ローカルパラメーターＰ１の第１設定データＤ１、通信パラメーターＰ２の第２設定データＤ２および個別パラメーターＰ３の第３設定データＤ３は、それぞれ予め設定された初期値である。
【００４９】
共通ローカルパラメーターＰ１は、全ユーザーに共通のパラメーターである。従って、共通ローカルパラメーターＰ１は、登録ユーザー情報Ｄｒ０に関連しない。一方、個別パラメーターＰ３は、登録ユーザー情報Ｄｒ０ごとに個別の設定データＤ３が二次記憶装置５３に記憶されるパラメーターである。
【００５０】
例えば、共通ローカルパラメーターＰ１が、シート収容部２ａに収容されるシート９２の厚み、サイズおよび向きのうちの１つまたは複数を含むことが考えられる。シート９２の厚み、サイズおよび向きは、画像形成装置２におけるシート９２の搬送速度の制御、定着装置２ｈの温度制御またはシート収容部２ａの選択などに用いられるパラメーターである。
【００５１】
さらに、共通ローカルパラメーターＰ１が、イメージセンサー１ｃの基準感度、現像装置２ｆの基準出力濃度およびＡＦＥ（１ｄ）のデータ変換処理における画像データの基準解像度のうちの１つまたは複数を含むことが考えられる。
【００５２】
また、通信パラメーターＰ２が、ネットワーク８０における自装置の通信アドレス、前記データ転送ジョブにおけるデータの転送先の候補の通信アドレス、ゲートウェイ情報およびプロキシ情報のうちの１つまたは複数を含むことが考えられる。なお、通信パラメーターＰ２は、前記データ転送ジョブおよび前記印刷ジョブに関連するパラメーターである。
【００５３】
また、個別パラメーターＰ３が、イメージセンサー１ｃにおける前記基準感度に対する補正のデフォルト値、現像装置２ｆにおける延期基準出力濃度に対する補正のデフォルト値およびＡＦＥ（１ｄ）のデータ変換処理におけるデフォルト解像度のうちの１つまたは複数を含むことが考えられる。
【００５４】
また、個別パラメーターＰ３が、表示装置３ｂに表示されるメニュー画面に含められる複数のアイコンの種類および並びのカスタマイズ情報を含むことも考えられる。前記メニュー画面の一例は、画像読取装置１による前記読取処理の条件の指定画面である。前記メニュー画面の他の例は、画像形成装置２による前記印刷処理の条件の指定画面である。
【００５５】
ところで、画像処理装置１０は、以上に示されるように不揮発性の二次記憶装置５３を備える。そして、二次記憶装置５３は、画像読取装置１または画像形成装置２などに関する複数の処理パラメーターＰ１，Ｐ２，Ｐ３の設定データＤ１，Ｄ２，Ｄ３を記憶する。
【００５６】
画像処理装置１０の設定データＤ１，Ｄ２，Ｄ３の全てを、初期化後の同じ装置、または、置き換えられた新たな装置へ引き継ぎたい場合がある。また、画像処理装置１０の設定データＤ１，Ｄ２，Ｄ３の一部を、増設される新たな装置へ引き継ぎたい場合もある。これらの場合、設定データＤ１，Ｄ２，Ｄ３の引き継ぎを簡易に行えることが望まれる。
【００５７】
一方、画像処理装置１０において、情報漏洩対策のために、他装置および可搬タイプの記憶メディアへのデータの出力が禁止されている場合がある。この場合、設定データＤ１，Ｄ２，Ｄ３の引き継ぎの手段として、前記他装置へのデータ転送または前記記憶メディアへのデータ記録を用いることができない。
【００５８】
また、設定データＤ１，Ｄ２，Ｄ３の引き継ぎ先の装置が引き継ぎ元の装置から引き継ぐべき処理パラメーターＰ１，Ｐ２，Ｐ３の種類は、前記引き継ぎ先の装置の利用環境に応じて異なる。
【００５９】
一方、前記引き継ぎ元の装置が引き継ぎ用の設定データＤ１，Ｄ２，Ｄ３を出力する際に、前記引き継ぎ先の装置において必要とされる処理パラメーターＰ１，Ｐ２，Ｐ３の種類が不明であることが多い。
【００６０】
本実施形態において、画像処理装置１０は、後述する設定印刷処理およびデータ設定処理を実行する。これにより、既存の装置において他装置等へのデータの出力が制限されている場合でも、前記既存の装置における複数の処理パラメーターＰ１，Ｐ２，Ｐ３の設定データＤ１，Ｄ２，Ｄ３を引き継ぎ先の装置へ簡易に引き継ぐことができる。
【００６１】
［設定印刷処理］
画像処理装置１０において、ＣＰＵ５１は、予め定められたプログラムを実行することにより、設定データ印刷制御装置５１ｄとして動作する。
【００６２】
設定データ印刷制御装置５１ｄは、予め定められた記録開始イベントが発生したときに、画像形成装置１に設定印刷処理を実行させる。例えば、前記記録開始イベントが、操作装置３ａに対して予め定められた記録開始操作が行われたことを含む。
【００６３】
また、前記記録開始イベントが、予め設定された時刻情報に従って定期的に発生するタイマーイベントを含むことも考えられる。前記時刻情報は、例えば一日周期を特定する時刻情報または１週間周期を特定する曜日と時刻との組み合わせ情報であることも考えられる。
【００６４】
また、前記記録開始イベントが、設定データＤ１，Ｄ２，Ｄ３が更新されるごとに発生するイベントを含むことも考えられる。
【００６５】
前記設定印刷処理は、二次記憶装置５３に記憶されている設定データＤ１，Ｄ２，Ｄ３の一部または全部を表す設定状況画像ｇ０を１枚以上のシート９２に形成する処理である（図３参照）。本実施形態において、設定状況画像ｇ０は、設定データＤ１，Ｄ２，Ｄ３とそれに対応する日時データＤ１０，Ｄ２０，Ｄ３０とを含む情報を表す画像である。
【００６６】
以下の説明において、設定状況画像ｇ０が形成された１枚または複数枚のシート９２のことを設定状況印刷物９２ｘと称する。
【００６７】
図２に示される例では、設定状況画像ｇ０は、ＱＲコード（登録商標）の画像である。設定状況画像ｇ０がバーコードの画像または文字列の画像などであることも考えられる。
【００６８】
また、設定状況画像ｇ０が、処理パラメーターＰ１，Ｐ２，Ｐ３とそれに対応する設定データＤ１，Ｄ２，Ｄ３および日時データＤ１０，Ｄ２０，Ｄ３０との組み合わせを表す画像であることが考えられる。
【００６９】
また、設定状況画像ｇ０の色またはシート９２における設定状況画像ｇ０の位置と、処理パラメーターＰ１，Ｐ２，Ｐ３との対応関係が予め定められていることも考えられる。この場合、設定状況画像ｇ０の色または位置が処理パラメーターＰ１，Ｐ２，Ｐ３を表し、設定状況画像ｇ０の形状が設定データＤ１，Ｄ２，Ｄ３および日時データＤ１０，Ｄ２０，Ｄ３０を表す。
【００７０】
例えば、前記記録開始イベントが、予め定められた全データ印刷操作が操作装置３ａに対して行われたことである場合、設定データ印刷制御装置５１ｄは、全ての設定データＤ１，Ｄ２，Ｄ３について前記設定印刷処理を実行する。
【００７１】
一方、前記記録開始イベントが、設定データＤ１，Ｄ２，Ｄ３が更新されるごとに発生するイベントである場合、設定データ印刷制御装置５１ｄは、設定データＤ１，Ｄ２，Ｄ３のうち更新されたデータのみについて前記設定印刷処理を実行する。
【００７２】
また、前記記録開始イベントが前記タイマーイベントである場合、設定データ印刷制御装置５１ｄは、設定データＤ１，Ｄ２，Ｄ３のうち前回の前記設定印刷処理の後に更新されたデータのみについて前記設定印刷処理を実行する。
【００７３】
画像処理装置１０において、ＣＰＵ５１は、予め定められたプログラムを実行することにより、対象選択装置５１ｅとして動作する。対象選択装置５１ｅは、前記データ設定処理の一部を実行する。対象選択装置５１ｅが実行する処理の詳細については後述する。
【００７４】
［データ設定処理］
次に、図４に示されるフローチャートを参照しつつ、前記データ設定処理の手順の一例について説明する。
【００７５】
前記データ設定処理は、設定状況印刷物９２ｘを原稿９１とする前記読取処理と、その読取処理により得られる読取画像データＤｉ０に基づいて二次記憶装置５３における設定データＤ１，Ｄ２，Ｄ３を更新する処理とを含む。
【００７６】
予め定められた設定開始操作が操作装置３ａに対して行われた場合に、データ管理装置５１ｂおよび対象選択装置５１ｅが前記データ設定処理を実行する。以下の説明において、Ｓ１，Ｓ２，…は、前記データ設定処理における複数の工程の識別符号を表す。また、前記読取処理の対象となる設定状況印刷物９２ｘのことを設定状況原稿９１ｘと称する（図３参照）。
【００７７】
＜工程Ｓ１＞
前記データ設定処理において、対象選択装置５１ｅは、操作装置３ａに対する操作に従って、複数の処理パラメーターＰ１，Ｐ２，Ｐ３の一部または全部を対象パラメーターとして選択する。
【００７８】
例えば、工程Ｓ１において、対象選択装置５１ｅは、図５に示されるような対象パラメーター選択画面ｆ０を表示装置３ｂに表示させる。対象選択装置５１ｅは、対象パラメーター選択画面ｆ０に含まれる選択メニューに対応する操作に従って、複数の処理パラメーターＰ１，Ｐ２，Ｐ３の一部または全部を前記対象パラメーターとして選択する。
【００７９】
図５に示される例において、対象パラメーター選択画面ｆ０は、第１選択メニューｆ１、第２選択メニューｆ２および第３選択メニューｆ３を含む。さらに、対象パラメーター選択画面ｆ０は、確定アイコンｆ４および中止アイコンｆ５も含む。
【００８０】
第１選択メニューｆ１は、前記共通パラメーターの一部または全部を一括して選択する操作を受け付けるメニューである。
【００８１】
第１選択メニューｆ１は、全選択ボタンｆ１１、ローカル系選択ボタンｆ１２および通信系選択ボタンｆ１３を含む。全選択ボタンｆ１１は、共通ローカルパラメーターＰ１の全ておよび通信パラメーターＰ２の全てを一括して選択する操作を受け付けるボタンである。
【００８２】
ローカル系選択ボタンｆ１２は、共通ローカルパラメーターＰ１の全てを一括して選択する操作を受け付けるボタンである。通信系選択ボタンｆ１３は、通信パラメーターＰ２の全てを一括して選択する操作を受け付けるボタンである。
【００８３】
第２選択メニューｆ２は、登録ユーザー情報Ｄｒ０ごとに個別パラメーターＰ３を前記対象パラメーターとして選択するか否かを設定する操作を受け付けるメニューである。
【００８４】
第２選択メニューｆ２は、設定するボタンｆ２１と設定しないボタンｆ２２とを含む。設定するボタンｆ２１は、個別パラメーターＰ３を前記対象パラメーターとして選択することを設定する操作を受けるボタンである。設定しないボタンｆ２２は、個別パラメーターＰ３を前記対象パラメーターとして選択しないことを設定する操作を受けるボタンである。
【００８５】
第２選択メニューｆ２は、設定するボタンｆ２１が操作された場合にのみ有効となるユーザー選択ボタンｆ２３をさらに含む。ユーザー選択ボタンｆ２３が操作されると、対象選択装置５１ｅは、不図示のユーザー選択画面を表示装置３ｂに表示させる。さらに、対象選択装置５１ｅは、操作装置３ａに対する操作に従って、二次記憶装置５３に記憶されている複数の登録ユーザー情報Ｄｒ０のうちの一部または全部を対象ユーザー情報として選択する。
【００８６】
第３選択メニューｆ３は、日時データＤ１０，Ｄ２０，Ｄ３０に関する選択基準を指定する操作を受け付けるメニューである。本実施形態において、第３選択メニューｆ３は、最新データを前記選択基準として指定するか、前記選択基準を後に指定するか、のいずれか一方を選択するメニューである。
【００８７】
設定状況原稿９１ｘの設定状況画像ｇ０が、同じ前記対象パラメーターについて異なる日時データＤ１０，Ｄ２０，Ｄ３０に対応する複数の設定データＤ１，Ｄ２，Ｄ３の情報を含む場合がある。この場合に、対象選択装置５１ｅは、前記選択基準に従って採用する設定データＤ１，Ｄ２，Ｄ３を選択する。
【００８８】
そして、確定アイコンｆ４が操作されたときに、対象選択装置５１ｅは、前記対象パラメーターの選択を確定する。なお、中止アイコンｆ５が操作された場合、対象選択装置５１ｅは、前記データ設定処理の実行を中止する。
【００８９】
＜工程Ｓ２＞
前記対象パラメーターの選択が確定すると、１枚以上の設定状況原稿９１ｘが画像読取装置１にセットされた状態で、データ管理装置５１ｂは、画像読取装置１に前記読取処理を実行させる。これにより、１枚以上の設定状況原稿９１ｘに形成された設定状況画像ｇ０を表す読取画像データＤｉ０が得られる。
【００９０】
＜工程Ｓ３＞
次に、データ管理装置５１ｂは、画像データ処理装置５４に設定データ特定処理を実行させる。
【００９１】
前記設定データ特定処理は、１枚以上の設定状況原稿９１ｘに対応する読取画像データＤｉ０から設定状況画像ｇ０を抽出する処理と、抽出された設定状況画像ｇ０に対応する設定データＤ１，Ｄ２，Ｄ３を特定する処理とを含む。
【００９２】
本実施形態において、前記設定データ特定処理は、抽出された設定状況画像ｇ０に対応する日時データＤ１０，Ｄ２０，Ｄ３０を特定する処理も含む。
【００９３】
＜工程Ｓ４＞
次に、対象選択装置５１ｅは、工程Ｓ１において前記選択基準が”後で指定”に設定されている場合に、処理を工程Ｓ５へ移行させる。一方、対象選択装置５１ｅは、工程Ｓ１において前記選択基準が”最新データ”に設定されている場合に、処理を工程Ｓ６へ移行させる。
【００９４】
＜工程Ｓ５＞
工程Ｓ５において、対象選択装置５１ｅは、日時指定処理を実行し、その後、処理を工程Ｓ６へ移行させる。前記日時指定処理は、操作装置３ａに対する操作に従って、日時データＤ１０，Ｄ２０，Ｄ３０に関する前記選択基準を指定する処理である。
【００９５】
但し、対象選択装置５１ｅは、工程Ｓ３で特定されたデータが、同じ前記対象パラメーターについて異なる日時データＤ１０，Ｄ２０，Ｄ３０に対応する複数の設定データＤ１，Ｄ２，Ｄ３を含む場合にのみ、前記日時指定処理を実行する。その他の場合、対象選択装置５１ｅは、工程Ｓ５の処理をスキップする。
【００９６】
例えば、対象選択装置５１ｅは、同じ前記対象パラメーターについて異なる日時データＤ１０，Ｄ２０，Ｄ３０を選択肢として表示装置３ｂに表示させる。さらに対象選択装置５１ｅは、操作装置３ａに対する選択操作に従って前記選択肢から選択された日時データＤ１０，Ｄ２０，Ｄ３０が表す日時を前記選択基準として設定する。
【００９７】
＜工程Ｓ６＞
工程Ｓ６において、データ管理装置５１ｂは、二次記憶装置５３に記憶されている設定データＤ１，Ｄ２，Ｄ３のうち、工程Ｓ１で選択された前記対象パラメーターに対応するデータを新たなデータへ更新する。前記新たなデータは、工程Ｓ３において読取画像データＤｉ０から特定された設定データＤ１，Ｄ２，Ｄ３における前記対象パラメーターに対応するデータである。
【００９８】
また、前述したように、複数枚の設定状況原稿９１ｘに対応する読取画像データＤｉ０から同じ前記対象パラメーターについて複数の設定データＤ１，Ｄ２，Ｄ３が特定される場合がある。この場合、データ管理装置５１ｂは、工程Ｓ１または工程Ｓ５で指定された前記選択基準に従って、複数の設定データＤ１，Ｄ２，Ｄ３からデータ更新に用いられる１つの前記新たなデータを選択する。
【００９９】
データ管理装置５１ｂは、工程Ｓ６の処理の終了後、前記データ設定処理を終了させる。なお、工程Ｓ６の処理を実行するデータ管理装置５１ｂは、データ更新装置の一例である。
【０１００】
以上に示されるように、データ管理装置５１ｂは、操作装置３ａに対する操作に従って、複数の処理パラメーターＰ１，Ｐ２，Ｐ３の一部または全部を前記対象パラメーターとして選択する（Ｓ１）。工程Ｓ１の処理を実行する対象選択装置５１ｅは選択装置の一例である。
【０１０１】
さらに、画像データ処理装置５４は、１枚以上の設定状況原稿９１ｘに対応する読取画像データＤｉ０から設定状況画像ｇ０を抽出し、抽出した設定状況画像ｇ０に対応する設定データＤ１，Ｄ２，Ｄ３を特定する（Ｓ３）。
【０１０２】
さらに、データ管理装置５１ｂは、二次記憶装置５３に記憶されている設定データＤ１，Ｄ２，Ｄ３のうち、前記対象パラメーターに対応するデータのみを、読取画像データＤｉ０から特定された設定データＤ１，Ｄ２，Ｄ３へ更新する（Ｓ６）。
【０１０３】
従って、既存の画像処理装置１０において他装置等へのデータの出力が制限されている場合でも、既存の画像処理装置１０における複数の処理パラメーターＰ１，Ｐ２，Ｐ３の設定データＤ１，Ｄ２，Ｄ３を引き継ぎ先の画像処理装置１０へ簡易に引き継ぐことができる。
【０１０４】
また、図５に示されるように、データ管理装置５１ｂは、通信パラメーターＰ２とローカルパラメーターＰ１，Ｐ３とを一括して前記対象パラメーターとして選択すること、および、前記ローカルパラメーターＰ１，Ｐ３のみを一括して前記対象パラメーターとして選択することが可能である（Ｓ１）。
【０１０５】
従って、例えば既存の画像処理装置１０が新たな装置に置き換えられる場合などにおいて、通信パラメーターＰ２およびローカルパラメーターＰ１，Ｐ３を一括して既存の装置から前記新たな装置へ引き継ぐことが容易である。
【０１０６】
また、例えば既存の画像処理装置１０のローカルパラメーターＰ１，Ｐ３のみを、通信環境が異なる他の画像処理装置１０へ引き継ぐことも容易である。
【０１０７】
さらに、データ管理装置５１ｂは、登録ユーザー情報Ｄｒ０ごとに個別パラメーターＰ３を一括して前記対象パラメーターとして選択すること、および、共通パラメーターＰ１，Ｐ２の全てまたは予め定められた一部を一括して前記対象パラメーターとして選択することも可能である（Ｓ１）。
【０１０８】
従って、会社におけるユーザーの人事異動または組織改編などに伴って、既存の画像処理装置１０の個別パラメーターＰ３の第３設定データＤ３を他の画像処理装置１０へ引き継ぐことも容易である。
【０１０９】
さらに、異なる日時データＤ１０，Ｄ２０，Ｄ３０に対応する複数の設定データＤ１，Ｄ２，Ｄ３からデータ更新に用いられるデータを前記選択基準によって指定することができる。これにより、設定データＤ１，Ｄ２，Ｄ３更新の自由度が高まる。
【０１１０】
［第１応用例］
設定データ印刷制御装置５１ｄが、前記設定印刷処理において、日時データＤ１０，Ｄ２０，Ｄ３０に替えて、前記設定印刷処理が行われる日時を表す日時情報を表す設定状況画像ｇ０をシート９２に形成することも考えられる。
【０１１１】
本応用例が採用される場合も、前述の実施形態の効果と同様の効果が得られる。
【０１１２】
［第２応用例］
前記設定印刷処理が実行される前に、データ管理装置５１ｂが、操作装置３ａに対する操作に従って、複数の処理パラメーターＰ１，Ｐ２，Ｐ３の一部または全部を出力パラメーターとして選択することが考えられる。
【０１１３】
本応用例において、前記出力パラメーターが選択された場合に、設定データ印刷制御装置５１ｄは、前記出力パラメーターに対応する設定データＤ１，Ｄ２，Ｄ３のみについて、前記設定印刷処理を画像形成装置２に実行させる。
【０１１４】
本応用例により、目的に応じた設定状況印刷物９２ｘを生成することが可能である。
【符号の説明】
【０１１５】
１      ：画像読取装置
１ａ    ：光源
１ｂ    ：走査機構
１ｃ    ：イメージセンサー
２      ：画像形成装置
２ａ    ：シート収容部
２ｂ    ：搬送機構
２ｃ    ：感光体
２ｄ    ：帯電装置
２ｅ    ：レーザースキャニングユニット
２ｆ    ：現像装置
２ｇ    ：転写装置
２ｈ    ：定着装置
３      ：ユーザーインターフェイスデバイス
３ａ    ：操作装置
３ｂ    ：表示装置
４      ：カードリーダー（情報入力装置）
５      ：制御ユニット
６      ：通信装置
１０    ：画像処理装置
５１    ：ＣＰＵ
５１ａ  ：認証装置
５１ｂ  ：データ管理装置（データ更新装置）
５１ｃ  ：ジョブ制御装置
５１ｄ  ：設定データ印刷制御装置
５１ｅ  ：対象選択装置（選択装置）
５２    ：ＲＡＭ
５３    ：二次記憶装置
５４    ：画像データ処理装置
８０    ：ネットワーク
９１    ：原稿
９１ｘ  ：設定状況原稿
９２    ：シート
９２ｘ  ：設定状況印刷物
Ｄ１，Ｄ２，Ｄ３：設定データ
Ｄ１０，Ｄ２０，Ｄ３０：日時データ（日時情報）
Ｄｉ０  ：読取画像データ
Ｄｒ０  ：登録ユーザー情報
Ｐ１    ：共通ローカルパラメーター（処理パラメーター、共通パラメーター、ローカルパラメーター）
Ｐ２    ：通信パラメーター（処理パラメーター、共通パラメーター）
Ｐ３    ：個別パラメーター（処理パラメーター、ローカルパラメーター）
ｆ０    ：対象パラメーター選択画面
ｇ０    ：設定状況画像
【図１】
2019102874.tif 000003
【図２】
2019102874.tif 000004
【図３】
2019102874.tif 000005
【図４】
2019102874.tif 000006
【図５】
2019102874.tif 000007